(57)【要約】【課題】  従来、蓋と包装との間に隙間が生じるおそれがあり、容器内に収納される内容物の品質が劣化するおそれがあった【解決手段】  内容物の取出し又は取り入れ用の開口部を有する容器であって、開口部に対応する第１開口部を有し、内容物の周囲の全部又は一部に設けられた壁部を有する支持体と、開口部に対応する第２開口部を有し、内容物を密閉するように支持体を被覆するシート状の包装部と、閉じた状態のとき開口部を覆い、開いた状態のとき開口部が露出するように構成されるとともに、前記包装部に取り付けられた蓋部と、を備える。【選択図】  図２
2008114884.tif 000002
【特許請求の範囲】
【請求項１】
内容物の取出し又は取り入れ用の開口部を有する容器であって、
前記開口部に対応する第１開口部を有し、前記内容物の周囲の全部又は一部に設けられた壁部を有する支持体と、
前記開口部に対応する第２開口部を有し、前記内容物を密閉するように前記支持体を被覆するシート状の包装部と、
閉じた状態のとき前記開口部を覆い、開いた状態のとき前記開口部が露出するように構成されるとともに、前記包装部に取り付けられた蓋部と、
を備える容器。
【請求項２】
前記蓋部が閉じたとき、前記内容物は前記容器内に実質的に密閉されることを特徴とする請求項１記載の容器。
【請求項３】
前記容器に収納される前記内容物は、外気により品質が劣化する物であることを特徴とする請求項１又は請求項２記載の容器。
【請求項４】
前記蓋部は、シート状の部材から構成されることを特徴とする請求項１記載の容器。
【請求項５】
前記蓋部は、前記包装部と一体に構成されることを特徴とする請求項４記載の容器。
【請求項６】
前記蓋部は、硬質材料から構成され、
開閉可能に構成された扉部と、
前記扉部が係止され、前記包装部上に配置された基部と、
を備えることを特徴とする請求項１記載の容器。
【請求項７】
前記支持体は、前記壁部が連なって形成された枠状の部材を含んで構成されることを特徴とする請求項１記載の容器。
【請求項８】
前記支持体は、枠状に構成された前記壁部、枠状の前記壁部が設けられた基部、を含む器状の部材として構成されることを特徴とする請求項１記載の容器。
【請求項９】
前記基部は、前記内容物が載置される面又は前記第１開口部が形成される面を有することを特徴とする請求項８記載の容器。
【請求項１０】
前記支持体は、
前記壁部の頂端から前記基部の内側方向に延在する突出部、をさらに含む箱状の部材として構成され、
前記第１開口部は、対向する前記突出部の端部により規定されることを特徴とする請求項８記載の容器。
【請求項１１】
前記包装部は、圧着された第１端部及び第２端部を備え、
前記第１端部と前記第２端部とは、前記支持体を挟んで対向する位置にあり、
前記包装部は、前記第１端部、当該包装部の主面、前記第２端部、により、リッジ状に構成される部分を含むことを特徴とする請求項１記載の容器。
【発明の詳細な説明】
【技術分野】
【０００１】
本発明は、内容物の取出し又は取り入れ用の開口部を有する容器に関する。
【背景技術】
【０００２】
従来から、開口部を介して内容物が取出し又は取り入れ可能に構成された容器について、様々なタイプのものが開発されている。
【０００３】
図１５に、従来の容器５００の説明図を示す。なお、容器５００は、菓子類を封入する容器であるものとする。図１１に示すように、容器５００は、トレー５０２、袋５０３、を有する。トレー５０２には、菓子５０１が載置される。袋５０３は、トレー５０２を被覆し、菓子５０１を包み込む。
【０００４】
図１５に模式的に示すように、商品の購入者が袋５０３を開封してしまうと、袋５０３は密封していた状態に復元されることは困難となる。よって、商品の購入者は、一度袋５０３を開封した後は、速やかに菓子５０１を食べる必要がある。
【０００５】
図１６に、従来の他の容器６００の説明図を示す。なお、容器６００は、菓子類を封入する容器であるものとする。図１６に示すように、容器６００は、トレー６０２、袋６０３、を有する。トレー６０２には、菓子６０１が載置される。袋６０３は、トレー６０２を被覆し、菓子６０１を包み込む。
【０００６】
容器６００の場合、袋６０３の取出し口に、チャック６０４が取り付けられている。よって、商品の購入者は、一度袋６０３を開封した後も、チャック６０４を閉めた状態とすることにより、袋６０３内部の気密性を確保することができる。但し、菓子６０１を取り出すためには、袋６０３からトレー６０２を取り出す必要がある。
【０００７】
ここで、図１７を用いて、湿潤材（例えば、ウェットティッシュ等）を収納する従来の容器７００について説明する。図１７に示すように、容器７００は、ウェットティッシュ７０１、ウェットティッシュ７０１を収納する袋７０２、密閉用のシート７０３を有する。ウェットティッシュ７０１は、幾層にも重ねあわされた状態で、容器７００に収納される。
【０００８】
容器７００では、シート７０３が開けられることにより露出する開口を介して、容器７００内のウェットティッシュ７０１は取り出される。また、シート７０３が閉じられることにより開口を閉じた状態とし、容器７００の密閉性を確保する。なお、図１２には、商品の購入者がウェットティッシュ７０１を消費する前の状態が示されている。このときのウェットティッシュ７０１の束の厚みをＴ１とする。
【０００９】
次に、図１８を用いて、上述の容器７００の問題点を説明する。尚、袋７０２は、例えば、軟性のシート部材（ポリエチレン等）であるものとする。ウェットティッシュ７０１が消費されるに従って、ウェットティッシュ７０１の束の厚みはＴ１（図１７参照）からＴ２にまで減少する。ウェットティッシュ７０１の束の厚みはＴ２になったとき、袋７０２は、図１７のように張った状態から図１８のように弛んだ状態となる。図１８のように袋７０２が弛んだ状態となると、商品の購入者は、密閉用のシート７０３により、袋７０２の開口をスムーズに閉じることができない。そして、シート７０３と袋７０２との間に隙間が生じてしまうと、内部に封入されたウェットティッシュ７０１を湿潤状態に保つことが困難となるおそれもある。
【００１０】
また、シート７０３に代えて、硬質の蓋を袋７０２に取り付ける場合にも、弛んだ状態の袋７０２に対して硬質の蓋を取り付ける際に、蓋と袋との間に隙間が生じるおそれがある。
【００１１】
なお、ウェットティッシュ用の容器としては、特許文献１、特許文献２に記載の容器が開発されている。
【特許文献１】特開２００６−１１７３２０号公報
【特許文献２】特開２００６−２８２２４３号公報
【発明の開示】
【発明が解決しようとする課題】
【００１２】
上述のように、従来の容器では、蓋と包装との間に隙間が生じるおそれがあり、容器内に収納される内容物の品質が劣化するおそれがあった。
【課題を解決するための手段】
【００１３】
本発明にかかる容器は、内容物の取出し又は取り入れ用の開口部を有する容器であって、前記開口部に対応する第１開口部を有し、前記内容物の周囲の全部又は一部に設けられた壁部を有する支持体と、前記開口部に対応する第２開口部を有し、前記内容物を密閉するように前記支持体を被覆するシート状の包装部と、閉じた状態のとき前記開口部を覆い、開いた状態のとき前記開口部が露出するように構成されるとともに、前記包装部に取り付けられた蓋部と、を備える。
【００１４】
シート状の包装部は、支持体に支持されることにより、張った状態に維持され、弛まない。よって、蓋と包装との間に隙間が生じることを抑制できる。
【発明の効果】
【００１５】
蓋と包装との間に隙間が生じることが抑制され、容器内に収納される内容物の品質が劣化することが抑制される。
【発明を実施するための最良の形態】
【００１６】
以下、図面を参照しつつ、本発明の実施の形態について説明する。なお、各実施の形態は、説明の便宜上、簡略化されている。図面は簡略的なものであるから、図面の記載を根拠として本発明の技術的範囲を狭く解釈してはならない。図面は、もっぱら技術的事項の説明のためのものであり、図面に示された要素の正確な大きさ等は反映していない。同一の要素には、同一の符号を付し、重複する説明は省略するものとする。さらに、上下左右という方向を示す言葉は、図を正面視した場合を前提として用いるものとする。
【００１７】
〔第１の実施の形態〕
第１の実施の形態について、図１〜図４を用いて説明する。尚、図１は、容器１Ａの斜視図である。図２は、図１に示したＸ点とＸ点とを結ぶラインに沿う容器１Ａの概略的な断面図である。図３に支持体５Ａの斜視図である。図４は、ウェットティッシュ４が消費された状態を示す断面図である。
【００１８】
図１に、第１の実施の形態にかかる容器１Ａの斜視図を示す。図１に示すように、容器１Ａは、シート状の包装（包装部）２、ラベル（蓋部）３を有するパッケージである。また、容器１Ａは、包装２の主面２ｃに開口部ＯＰを有する。尚、開口部ＯＰは、ラベル３の下の点線で示す領域に設けられる。
【００１９】
容器１Ａは、包装２が閉じられることで構成される袋状の包装である。容器１Ａは、端部２ａ、端部２ｂ、主面２ｃを有する。端部２ａ及び端部２ｂは、包装２の上下に重ねあわされた部分が熱圧着されることにより形成される。端部２ａと主面２ｃとの間には斜面が形成され、また、端部２ｂと主面２ｃとの間にも斜面が形成される。包装２の主面２ｃは、略平坦に構成される。換言すると、容器１Ａは、端部２ａ、主面２ｃ、端部２ｂにかけて、リッジ状の形状を有する。
【００２０】
容器１Ａは、包装２の表面と一致する主面２ｃにラベル３を有する。換言すると、ラベル３は、包装２の主面２ｃに取り付けられる。尚、ここでは、ラベル３は、包装２と一体として構成される。
【００２１】
ラベル３は、容器１Ａの主面２ｃに伏せられたり、容器１Ａの主面２ｃに倒立させられたりする。ラベル３が伏せた状態（閉じた状態）にあるときには、主面２ｃに形成された開口部ＯＰは、ラベル３に覆われた状態にある。ラベル３が倒立した状態（開いた状態）にあるとき、主面２ｃに形成された開口部ＯＰは、ラベル３により覆われずに、容器１Ａの表面に露出する。なお、ラベル３は、ラベル３の端部３ａが摘まれることにより、上述のように開閉される。
【００２２】
図２に、図１に示したＸ点とＸ点とを結ぶラインに沿う容器１Ａの概略的な断面図を示す。図２に示すように、容器１Ａは、包装（包装部）２、ラベル（蓋部）３、ウェットティッシュ（内容物）４、支持体５Ａを有する。
【００２３】
包装２は、袋状の包装であり、端部２ａ、端部２ｂ、主面２ｃを有する。上述のように、端部２ａ、端部２ｂは、包装２の熱圧着された部分である。また、主面２ｃには、容器１Ａの開口部ＯＰに対応する開口部ＯＰ１が形成される。開口部ＯＰ１は、ウェットティッシュ４の取出し口として機能する。尚、包装２は、シート状（膜状）の軟性部材で構成される。換言すると、包装２は、可撓性を有する。また、包装２は、容器１Ａの内部を気密に保つため、気密性の材料から構成される。
【００２４】
ラベル３は、包装２の主面２ｃに配置される。ラベル３は、端部３ａと端部３ｂを有する。ラベル３の端部３ｂは、包装２の主面２ｃに固定されている。他方、ラベル３の端部３ａは、包装２の主面２ｃに着脱可能に構成される。かかる構成により、ウェットティッシュ４は、開口部ＯＰを介して容器１Ａの内部から外部へと取り出されることができる。なお、ラベル３と包装２の主面２ｃとの密着性を確保するために、対向するラベル３の一面又は包装２の主面２ｃのいずれか又は双方には接着性のある材料が塗布される。つまり、ラベル３又はラベル３が付着される包装２の領域をシール性の材料で構成しても良い。
【００２５】
ラベル３は、包装２と同様に、シート状の軟性部材で構成される。換言すると、ラベル３は、可撓性を有する。ラベル３は、包装２と一体に形成され、包装２と同一の材料から構成される。
【００２６】
ウェットティッシュ４は、図２に示すように、包装２の内部に収納される。また、ウェットティッシュ４は、支持体５Ａの内部に収納される。ウェットティッシュ４は、湿潤材であり、外気にさらされることにより湿潤性が劣化する。すなわち、ウェットティッシュ４は、外気に触れることにより乾燥してしまう。
【００２７】
支持体５Ａは、図２に示すように、包装２の内部に収納される。また、支持体５Ａは、基部５ａ、壁部５ｂから構成される器状の部材である。ここでは、支持体５Ａは、プラスチック材料又は加工された紙材料等からなる軽量の容器である。
【００２８】
基部５ａは、平板状の部材であり、一面（載置面）にウェットティッシュ４が載置される。壁部５ｂは、基部５ａの縁部分からウェットティッシュ４の積層方向に延在する板状の部材であり、積層されたウェットティッシュ４の周囲の全体を囲むように配置される。なお、ウェットティッシュ４の積層方向は、容器１Ａからウェットティッシュ４が取り出される方向と等しい。また、換言すると、壁部５ｂは、基部５ａの縁部分に連なって形成される。このような構成により、支持体５Ａの機械的な強度を確保することもできる。また、壁部５ｂが連なって形成される基部５ａの縁の全域に亘って、壁部５ｂの高さは実質的に等しく設定される。
【００２９】
支持体５Ａは、後述するように、ティッシュを湿潤状態とさせるために充填させる液体の受け皿としても機能する。なお、支持体５Ａが有する開口部ＯＰ２は、壁部５ｂの内壁の間に等しい。
【００３０】
図３に支持体５Ａの斜視図を示す。図３に示すように、支持体５Ａは、基部５ａ、壁部５ｂにより、器状の部材として構成される。
【００３１】
なお、支持体５Ａの表面には、包装２の内面が密着した状態で配置される。これは、包装２の端部２ａ、端部２ｂが熱圧着等により形成される際に、包装２が引っ張られた状態で、支持体５Ａを被覆するからである。これにより、支持体５Ａのように、器状の部材であっても、包装２の主面２ｃが平坦に保たれる。
【００３２】
本実施形態においては、上述のように、包装２の内部に支持体５Ａが収納される。これにより、たとえ、ウェットティッシュ４が消費されたとしても、包装２は支持体５Ａにより支持され、包装２が弛むことはない（図４を併せて参照のこと）。従って、商品の購入者が、ラベル３を包装２の主面２ｃに伏せた状態とする場合に、ラベル３と包装２との間に隙間が生じることが抑制される。よって、容器の内部にあるウェットティッシュ４の品質が劣化されることが抑制される。
【００３３】
尚、容器１Ａは、例えば、次の手順により製造することができる。まず、支持体５Ａの内部に、湿潤状態とされる前のティッシュの積層体を載置する。尚、支持体５Ａは、上述のように、器状の部材であって、広い開口部ＯＰ２を有する。よって、作業主体は、簡易にティッシュを支持体５Ａの基部５ａの一面に載置できる。
【００３４】
次に、支持体５Ａの一面に載置されたティッシュに、支持体５Ａを器として液体を充填する。このとき、支持体５Ａは、器として機能するため、効果的に液体を充填することができる。また、支持体５Ａは、ウェットティッシュ４の積層体の厚みよりも高い壁部５ｂを有する。よって、支持体５Ａを器として、十分な量の液体を充填することができる。液体を十分に充填することができるため、長期保存用の容器とすることもできる。次に、ウェットティッシュ４が載置された支持体５Ａを、一般的な包装技術（いわゆるピロー包装技術等）に基づいて、包装２で被覆する。そして、包装２の上下に重ねあわされた部分を熱圧着させる。このようにして容器１Ａを製造することができる。なお、製造方法については、他の方法も採用することができることは言うまでもない。
【００３５】
〔第２の実施の形態〕
次に、第２の実施の形態について、図５、図６を用いて説明する。図５は、本実施形態にかかる容器１Ｂの断面図である。図６は、支持体５Ｂの斜視図である。第１の実施の形態と異なる点は、支持体５Ａに代えて、支持体５Ｂを採用した点である。
【００３６】
図５に、本実施形態にかかる容器１Ｂの断面図を示す。図５に示すように、支持体５Ｂは、基部５ａ、壁部５ｂ、突出部５ｃから構成される箱状の部材である。支持体５Ｂは、突出部５ｃから規定される開口部ＯＰ２のみを有し、他に開口は有していない。尚、基部５ａ、壁部５ｂは、第１の実施の形態におけるものと等しいから説明は省略する。
【００３７】
本実施形態においては、支持体５Ｂは、上述のように、開口部ＯＰ２を規定する突出部５ｃを有する。突出部５ｃは、壁部５ｂの頂部から、支持体５Ｂの内側に向けて延在する板状の部材である。突出部５ｃは、壁部の構成に対応して、壁部の頂端部分に連なって形成される。これにより、支持体５Ｂは、包装２の主面２ｃ側に、矩形状の開口部ＯＰ２を有することになる。なお、支持体５Ｂが有する開口部ＯＰ２は、突出部５ｃの端部の間と等しい。尚、第１の実施の形態と同様に、支持体５Ｂは、軽量なプラスチック容器を採用するとよい。
【００３８】
本実施の形態の場合でも、第１の実施の形態の場合と同様の効果を得ることができる。すなわち、支持体５Ｂの表面上には、包装２の内面が密着した状態で配置される。これは、包装２の端部２ａ、端部２ｂが熱圧着等により形成される際に、包装２が引っ張られた状態で、支持体５Ｂを被覆するからである。これにより、効果的に、包装２の主面２ｃが平坦に保たれる。
【００３９】
また、本実施形態における支持体５Ｂにおいては、突出部５ｃを有する。これにより、支持体５Ａと比べて、包装２の主面２ｃの平坦性は十分に確保される。また、容器１Ｂの形状は、より安定になるとともに、容器１Ｂの内部に充填された液体が、支持体５Ｂと包装２との間に漏れることも抑制される。
【００４０】
〔第３の実施の形態〕
次に、第３の実施の形態について、図７、図８を用いて説明する。図７は、本実施形態にかかる容器１Ｃの断面図である。図８は、支持体５Ｃの斜視図である。第１の実施の形態と異なる点は、支持体５Ａに代えて、支持体５Ｃを採用した点である。
【００４１】
図７に、本実施形態にかかる容器１Ｃの断面図を示す。図７に示すように、支持体５Ｃは、基部５ａ、壁部５ｂ、から構成される器状の部材である。但し、第１の実施形態とは異なり、基部５ａは、ウェットティッシュ４の上に配置される。また、基部５ａには、開口部ＯＰ２が形成される。
【００４２】
図７に示すように、支持体５Ｃの基部５ａは、平板状の部材であって、ウェットティッシュ４の上方に配置される。また、基部５ａには、ウェットティッシュ４の取出し口として機能する開口部ＯＰ２が形成される。開口部ＯＰ２は、容器１Ｃの開口部ＯＰに対応する。尚、第１の実施の形態と同様に、壁部５ｂは、基部５ａの縁部分からウェットティッシュ４の積層方向に延在する板状の部材であり、積層されたウェットティッシュ４の周囲の全体を囲むように配置される。また、第１の実施の形態と同様に、支持体５Ｃは、軽量なプラスチック容器を採用するとよい。
【００４３】
本実施形態でも、包装２は、支持体５Ｃにより好適に支持される。つまり、包装２の端部２ａ、端部２ｂが熱圧着等により形成される際に、包装２が引っ張られた状態で、支持体５Ｃを被覆する。これにより、効果的に、包装２の主面２ｃが平坦に保たれる。支持体５Ｃでは、基部５ａは、積層されたウェットティッシュ４の上面に配置される。これにより、支持体５Ａと比べて、包装２の主面２ｃの平坦性は十分に確保される。
【００４４】
また、本実施形態における支持体５Ｃにおいては、基部５ａに開口部ＯＰ１が形成され、基部５ａ上に包装２が密着して配置される。かかる構成により、支持体５Ａと比べて、包装２の主面２ｃの平坦性は、より十分に確保される。
【００４５】
〔第４の実施の形態〕
次に、第４の実施の形態について、図９、１０を用いて説明する。図９は、本実施形態にかかる容器１Ｄの断面図である。図１０は、支持体５Ｄの斜視図である。第１の実施の形態と異なる点は、支持体５Ａに代えて、支持体５Ｄを採用した点である。
【００４６】
図９に、本実施形態にかかる容器１Ｄの断面図を示す。図９に示すように、支持体５Ｄは、壁部５ｂを有する。壁部５ｂは、板状の部材で構成される。支持体５Ｄは、壁部５ｂが連なって構成された枠状の部材である（図９及び図１０を併せて参照のこと）。尚、支持体５Ｄは、内部にウェットティッシュ４の束を収納するための空間を有する。また、壁部５ｂの高さは、積層されたウェットティッシュ４の高さよりも高い。また、支持体５Ｃの開口部ＯＰ２は、対向する壁部５ｂにより規定される。開口部ＯＰ２は、容器１Ｄの開口部ＯＰに対応する。
【００４７】
本実施形態では、支持体５Ｄは、連なった壁部５ｂにより枠状に構成され、積層されたウェットティッシュ４を囲むように配置される。かかる場合でも、包装２は、支持体５Ｃにより好適に支持される。これは、包装２の端部２ａ、端部２ｂが熱圧着等により形成される際に、包装２は、引っ張られた状態で、支持体５Ｃを被覆するからである。これにより、効果的に、包装２の主面２ｃを平坦に保つことができる。本実施形態においては、容器１の軽量化の観点又は製造コストの観点からメリットが見込まれる。
【００４８】
〔第５の実施の形態〕
次に、第５の実施の形態について、図１１及び図１２を用いて説明する。図１１は、本実施形態にかかる容器１Ｅの断面図である。図１２は、容器１Ｅの上面図である。
【００４９】
図１１に示すように、本実施形態では、ラベル３に代えて、開閉可能な蓋（蓋部）２０を有する。蓋２０は、包装２の主面２ｃ上に配置される。例えば、蓋２０は、接着剤などにより包装２の主面２ｃ上に固定される。
【００５０】
図１２に示すように、蓋２０は、基部２１と扉部２２を有する。基部２１は、包装２の主面２ｃに取り付けられる部分である。扉部２２は、開閉可能に基部２１に取り付けられる。なお、ここでは、基部２１と扉部２２は、一体として構成される。
【００５１】
本実施形態の場合にも、第２の実施の形態の場合と同様に、包装２は、支持体５Ｂにより張った状態にある。よって、蓋２０を、包装２の主面２ｃに取り付ける際には、包装２が弛むことはない。よって、蓋２０と包装２との間に隙間が形成されることが抑制され、容器１に収納されるウェットティッシュ４の品質が劣化することが抑制される。
【００５２】
〔バリエーションについて〕
次に、上述の実施の形態に含まれる支持体のバリエーションについて、図１３を用いて説明する。また、容器に収納される内容物のバリエーションについて、図１４を用いて説明する。
【００５３】
図１３（ａ）に、支持体５Ｅを示す。支持体５Ｅは、上述の支持体５Ｂの構成と略等しい構成である。しかしながら、支持体５Ｂは、分離線Ｌ１を境として、上部５０、下部５１とに完全に分離可能に構成される。なお、上部５０は、支持体５Ｅの蓋部分を構成する。下部５１は、支持体５Ｅの本体部分を構成する。尚、下部５１は、上述の支持体５Ａの構成と等しい。
【００５４】
かかる構成によれば、上部５０を下部５１から分離させたうえで、ウェットティッシュ４を支持体５Ｅの下部５１の面上に載置することができる。よって、ウェットティッシュ４を載置する工程を簡略化することができる。
【００５５】
図１３（ｂ）に、支持体５Ｆを示す。支持体５Ｆは、上述の支持体５Ｅの構成と略等しい。しかしながら、上部５０は、下部５１に、開閉可能に取り付けられる。このような構成によっても、下部５１に対して上部５０を開いた状態とさせれば、ウェットティッシュ４を支持体５Ｆの下部５１の底面上に載置することができる。よって、ウェットティッシュ４を載置する工程を簡略化することができる。なお、上部５０の長辺と下部５１の長辺とを固定することにより、上部５０を下部５１に開閉可能に取り付けても良い。また、上部５０の短辺と下部５１の短辺とを固定することにより、上部５０を下部５１に開閉可能に取り付けても良い。これらの事項は、使用する製造装置に応じて、適宜、決定すればよい。
【００５６】
図１３（ｃ）に、支持体５Ｇを示す。支持体５Ｇは、基部５ａ、壁部５ｂ（５ｂ１、５ｂ２）を有する。支持体５Ｇの場合には、壁部５ｂは、基部５ａに載置されるウェットティッシュ４の周囲の一部に設けられ、ウェットティッシュ４の周囲の全部に設けられない。このような場合であっても、包装２は、支持体５Ｇにより好適に支持される。これは、包装２の端部２ａ、端部２ｂが熱圧着等により形成される際に、包装２は、引っ張られた状態で、支持体５Ｇを被覆するからである。これにより、効果的に、包装２の主面２ｃが平坦に保たれる。
【００５７】
なお、基部５ａは、平板状の部材である。壁部５ｂは、基部５ａの縁部分からウェットティッシュ４の積層方向に延在する板状の部材である。壁部５ｂは、基部５ａの主面に、壁部（第１壁部）５ｂ１、壁部（第２壁部）５ｂ２を有する。壁部５ｂ１と壁部５ｂ２とは、対向した位置に配置される。なお、包装２の端部２ａは壁部５ｂ１側に配置され、包装２の端部２ｂは壁部５ｂ２側に配置される。これにより、包装２は、壁部５ｂ１と壁部５ｂ２とにより好適に支持される。また、壁部５ｂ１の高さは、基部５ａから見て等しく、実質的に平坦に構成される。壁部５ｂ２についても同様である。これにより、包装２による支持体５Ｇのパッケージングを好適に行うことができる。なお、壁部５ｂ１の高さと壁部５ｂ２の高さとは、基部５ａからみて必ずしも等しく設定される必要はない。
【００５８】
上述のように、支持体の具体的な形状は任意であり、他にも様々な形状とすることができる。ただし、支持体として器状の部材を用いれば、当然、容器に収納される内容物を載置しやすくなる。また、支持体として器状の部材を用いれば、器状の内部に過剰に液体を充填することもでき、長期保存用の内容物に適した容器とすることができる。
【００５９】
また、容器内に収納される内容物は、ウェットティッシュに例示されるような湿潤材に限られることはない。すなわち、図１４に示すように、クッキー３０、キャンディー３１、洋菓子３２であっても構わない。図１４に例示したもののほか、容器は、使い捨ての医療用の用具等他の様々なものを収納することが可能である。
【００６０】
本発明の技術的範囲は、上述した実施の形態及び上述したバリエーションに限定されない。すなわち、上述のように、支持体の具体的な形状は任意である。また、収納する内容物は、例示したもの以外であっても構わない。容器に設けられる開口部の形状は、容器の内部に収納される内容物に応じて適宜変更可能である。すなわち、円状の開口であってもよいし、矩形状の開口であっても良いし、その他の形状の開口であっても構わない。また、容器自体の形状も、立方体状の形状に限られない。用途に応じて、他の様々な形状を採用することができる。包装を構成する材料とラベルを構成する材料とは、異なる材料であっても構わない。
【図面の簡単な説明】
【００６１】
【図１】容器１Ａの概略的な斜視図である。
【図２】第１の実施の形態にかかる容器１ＡのＸ点とＸ点とを結ぶラインに沿う概略的な断面図である。
【図３】支持体５Ａの概略的な斜視図である。
【図４】ウェットティッシュ４が減少した場合の概略的な断面図である。
【図５】第２の実施の形態にかかる容器１Ｂの概略的な断面図である。
【図６】支持体５Ｂの概略的な斜視図である。
【図７】第３の実施の形態にかかる容器１Ｃの概略的な断面図である。
【図８】支持体５Ｃの概略的な斜視図である。
【図９】第３の実施の形態にかかる容器１Ｄの概略的な断面図である。
【図１０】支持体５Ｄの概略的な斜視図である。
【図１１】第４の実施の形態にかかる容器１Ｅの概略的な断面図である。
【図１２】第４の実施の形態にかかる容器１Ｅの概略的な上面図である。
【図１３】支持体５Ｅ〜５Ｇの概略的な斜視図である。
【図１４】内容物のバリエーションを説明するための断面図である。
【図１５】従来の容器５００を説明するための説明図である。
【図１６】従来の容器６００を説明するための説明図である。
【図１７】従来の容器７００を説明するための説明図である。
【図１８】従来の容器７００の問題点を説明するための説明図である。
【符号の説明】
【００６２】
１Ａ〜１Ｅ    容器
ＯＰ    開口部
ＯＰ１    開口部
ＯＰ２    開口部
２    包装
２ａ    端部
２ｂ    端部
３    ラベル
３ａ    端部
３ｂ    端部
４    ウェットティッシュ
５Ａ〜５Ｈ    支持体
５ａ    基部
５ｂ    壁部
５ｃ    突出部
【図１】
2008114884.tif 000003
【図２】
2008114884.tif 000004
【図３】
2008114884.tif 000005
【図４】
2008114884.tif 000006
【図５】
2008114884.tif 000007
【図６】
2008114884.tif 000008
【図７】
2008114884.tif 000009
【図８】
2008114884.tif 000010
【図９】
2008114884.tif 000011
【図１０】
2008114884.tif 000012
【図１１】
2008114884.tif 000013
【図１２】
2008114884.tif 000014
【図１３】
2008114884.tif 000015
【図１４】
2008114884.tif 000016
【図１５】
2008114884.tif 000017
【図１６】
2008114884.tif 000018
【図１７】
2008114884.tif 000019
【図１８】
2008114884.tif 000020